(57)【要約】【課題】上腕に対する装着作業が容易化した血圧計用カフを提供する。【解決手段】血圧計用カフ１５０Ａは、上腕２１０に装着した状態において上腕２１０に巻き付けられる巻き付け部と、巻き付け部から上腕２１０の延びる方向に向けて突出して設けられた仮保持用の突出舌片１６５とを含んでいる。突出舌片１６５は、血圧計用カフ１５０Ａを上腕２１０に装着した状態において肘２１５側に向けて突出しており、血圧計用カフ１５０Ａを装着するに際して肘２１５の内側において前腕２２０および上腕２１０によって保持可能に構成されている。【選択図】図７
2007275483.tif 000002
【特許請求の範囲】
【請求項１】
上腕を圧迫するための流体袋と、前記流体袋を内包する袋状の外装部材とを備え、上腕に巻き付けられて使用される帯状の血圧計用カフであって、
当該血圧計用カフを上腕に装着した状態において上腕を取り囲むように巻き付けられる巻き付け部と、
当該血圧計用カフを上腕に装着した状態において前記巻き付け部から上腕の延びる方向に向けて突出して設けられた仮保持用の突出部とを含む、血圧計用カフ。
【請求項２】
前記突出部は、弾性変形可能に構成された突出舌片からなる、請求項１に記載の血圧計用カフ。
【請求項３】
前記外装部材は、前記巻き付け部に対応する部分と前記突出舌片に対応する部分との境界部において区切られた２つの空間を内部に有し、
前記２つの空間のうち、前記巻き付け部に対応する部分に設けられた空間に前記流体袋が収容され、前記突出舌片に対応する部分に設けられた空間に可撓性の弾性板が収容されている、請求項２に記載の血圧計用カフ。
【請求項４】
前記外装部材に内包されるとともに前記流体袋の外側に配置され、当該血圧計用カフを上腕に装着した状態において上腕に対して前記流体袋を付勢する湾曲弾性板をさらに備え、
前記突出舌片が、前記湾曲弾性板から連続して延びる部分を少なくとも一部に含んでいる、請求項２に記載の血圧計用カフ。
【請求項５】
前記突出部は、当該血圧計用カフを上腕に装着した状態において当該血圧計用カフが装着された腕の肘側に向かって突出しており、
当該血圧計用カフを装着するに際して、当該血圧計用カフが装着される腕の肘の内側において前腕および上腕によって前記突出部が保持可能に構成されている、請求項１から４のいずれかに記載の血圧計用カフ。
【請求項６】
前記突出部は、当該血圧計用カフを上腕に装着した状態において当該血圧計用カフが装着された腕側の肩側に向かって突出しており、
当該血圧計用カフを装着するに際して、当該血圧計用カフが装着される腕側の腋の下において上腕および体幹によって前記突出部が保持可能に構成されている、請求項１から４のいずれかに記載の血圧計用カフ。
【請求項７】
前記突出部は、当該血圧計用カフを上腕に装着した状態において当該血圧計用カフが装着された腕の肘側に向かって突出しており、
当該血圧計用カフを装着するに際して、当該血圧計用カフが装着される腕の肘の外側を覆うように前記突出部が構成されている、請求項１から４のいずれかに記載の血圧計用カフ。
【請求項８】
上腕に装着する際の位置決め用の目印をさらに備えた、請求項１から７のいずれかに記載の血圧計用カフ。
【発明の詳細な説明】
【技術分野】
【０００１】
本発明は、血圧計を用いた血圧値の測定の際に上腕に巻き付けられる血圧計用カフに関する。
【背景技術】
【０００２】
近年、高血圧を要因とする生活習慣病の早期発見や血圧管理のために血圧計が広く利用されている。通常、血圧値の測定に際しては、動脈を圧迫する流体袋を内包するカフを生体の体表面に巻き付け、巻き付けた流体袋を膨張・収縮させることによって動脈内に生じる動脈圧脈波の検出を行ない、これによって血圧値の測定が行なわれる。
【０００３】
ここで、カフとは、内腔を有する帯状の構造物であって生体の被測定部位（たとえば上腕や手首等）に巻き付けが可能なものを意味し、気体や液体等の流体を内腔に注入することによって上下肢の動脈圧測定に利用されるもののことを指す。したがって、カフは、流体袋とこの流体袋を生体に巻き付けるための巻付手段とを含めた概念を示す言葉であり、腕帯あるいはマンシェットと呼ばれることもある。
【０００４】
通常、上腕に装着されるカフには外装部材が設けられ、この外装部材の内部に流体袋としての空気袋が収容されるとともに、外装部材に上腕への巻き付け固定のための係止手段が設けられる。このようなカフの構成が開示された文献として、たとえば、実開平７−２４３０４号公報（特許文献１）や特開昭６２−２１３７３０号公報（特許文献２）、特開２００４−１５９９６８号公報（特許文献３）等がある。なお、係止手段としては一般的に面ファスナが利用される。上腕の周長は被験者によって異なるため、面ファスナを利用すれば任意の位置で上腕に巻き回した外装部材の周方向の端部同士を係止することが可能になり、上腕への巻き付け固定後においてカフが上腕に隙間なく装着できるようになる。
【０００５】
上腕に巻き付けることが企図された血圧計用カフにおいては、上腕への巻き付け方向、すなわちカフを展開した状態でのカフの長手方向における空気袋の中央部分が上腕の皮下に位置する上腕大動脈の直上に位置するように、カフが上腕に対して位置決めされて巻き付け固定されることが好ましい。このように正しくカフが位置決めされて上腕に巻き付け固定された場合には、その厚み方向において最も膨張する部分である空気袋の長手方向の中央部分と上腕大動脈とが近接して配置されることになるため、上腕大動脈を効率よくかつ確実に空気袋で圧迫・阻血することが可能になる。したがって、高精度に血圧値を測定することが可能になる。
【０００６】
しかしながら、空気袋は外装部材の内部に収容されているため、上述のように空気袋の長手方向の中央部分を上腕の所定の位置に位置決めして巻き付ける作業は非常に困難である。そこで、この問題を解決するものとして、カフの外装部材の表面に位置決め用の目印が付されたものが知られている。当該カフにおいては、カフが巻き付けられる腕の中指の延長線上に当該目印が位置することとなるように、被験者によってカフが上腕に対して位置決めされて装着されることが企図されている。ここで、通常、上腕大動脈は上腕の体幹側（すなわち胸部側）に位置しているため、空気袋の長手方向の中央部分は、予め上記外装部材に設けられた目印から所定の距離を隔てて離間配置されている。
【特許文献１】実開平７−２４３０４号公報
【特許文献２】特開昭６２−２１３７３０号公報
【特許文献３】特開２００４−１５９９６８号公報
【発明の開示】
【発明が解決しようとする課題】
【０００７】
しかしながら、従来の血圧計用カフにあっては、装着の際にカフの巻き付け固定のために被験者がカフの一端を引っ張ると、カフが上腕上を回転してしまい、面ファスナによる係止の際にうまく力がカフに伝わらず係止が困難になり、その結果装着作業が煩雑になるという問題を有していた。そのため、装着に不慣れな被験者が使用した場合に、上腕への巻き付け固定後においてカフと上腕との間に隙間が生じ、正しい装着状態が得られないケースも生じてくる。このような状態で測定を行なった場合には、空気袋による上腕の均等な圧迫が実現できず、測定精度に悪影響を与えることとなってしまう。
【０００８】
また、上述のように位置決め用の目印を備えた血圧計用カフにおいても、カフを上腕に巻き付ける作業はやはり煩雑である。すなわち、被験者自らがカフを上腕に装着する場合において予め位置あわせをしてカフを上腕に取り付けようとしても、カフの巻き付け固定のために被験者がカフの一端を引っ張ると、カフはそれに伴って上腕上を回転することになり、位置ずれが生じてしまうことになる。そのため、巻き付け固定後において再度カフを上腕上において回転させて目印が所望の位置に配置されるように調整する作業が必要になり、装着作業自体が必ずしも容易化しているとは言えない。
【０００９】
したがって、本発明は、上述の問題点を解決すべくなされたものであり、上腕に対する装着作業が容易化する血圧計用カフを提供することを目的とする。また、他の目的としては、外装部材に内包された空気袋が上腕に対して確実に位置決めされ得る血圧計用カフを提供することにある。
【課題を解決するための手段】
【００１０】
本発明に基づく血圧計用カフは、上腕を圧迫するための流体袋と、上記流体袋を内包する袋状の外装部材とを備え、上腕に巻き付けられて使用される帯状のものであって、血圧計用カフを上腕に装着した状態において上腕を取り囲むように巻き付けられる巻き付け部と、血圧計用カフを上腕に装着した状態において上記巻き付け部から上腕の延びる方向に向けて突出して設けられた仮保持用の突出部とを含んでいる。
【００１１】
このように構成することにより、カフの装着に際してカフが装着される腕側の所定の部位で仮保持用の突出部を仮保持することが可能になるため、血圧計用カフが回転することが防止され、装着作業の容易化が図られるようになる。
【００１２】
上記本発明に基づく血圧計用カフにあっては、上記突出部が弾性変形可能に構成された突出舌片からなることが好ましい。
【００１３】
このように突出部を弾性変形可能な突出舌片にて構成することにより、仮保持用の突出部の保持が容易化し、装着の際の血圧計用カフの回転がより確実に防止できるようになる。
【００１４】
上記本発明に基づく血圧計用カフにあっては、上記外装部材が、上記巻き付け部に対応する部分と上記突出舌片に対応する部分との境界部において区切られた２つの空間を内部に有していることが好ましい。その場合に、上記２つの空間のうち、上記巻き付け部に対応する部分に設けられた空間に上記流体袋が収容されていることが好ましく、また、上記突出舌片に対応する部分に設けられた空間に可撓性の弾性板が収容されていることが好ましい。
【００１５】
このように構成することにより、突出舌片を容易に可撓性の弾性板にて弾性変形可能に構成することができる。
【００１６】
上記本発明に基づく血圧計用カフにあっては、上記外装部材に内包されるとともに上記流体袋の外側に配置され、血圧計用カフを上腕に装着した状態において上腕に対して上記流体袋を付勢する湾曲弾性板をさらに備えていることが好ましい。その場合には、上記突出舌片が上記湾曲弾性板から連続して延びる部分を少なくとも一部に含んでいることが好ましい。
【００１７】
このように構成することにより、突出舌片を湾曲弾性板の一部にて容易に弾性変形可能に構成することができる。また、流体袋を上腕に付勢するための湾曲弾性板にて突出舌片の一部を構成することにより、別途弾性板を必要とせず、部品点数を削減することができる。
【００１８】
上記本発明に基づく血圧計用カフにあっては、血圧計用カフを上腕に装着した状態において、上記突出部がカフが装着された腕の肘側に向かって突出していることが好ましく、その場合に、上記突出部が、カフを装着するに際してカフが装着される腕の肘の内側において前腕および上腕によって保持可能に構成されていることが好ましい。
【００１９】
このように構成することにより、カフが装着される腕の肘の内側において前腕および上腕によって突出部が保持可能になるため、装着の際の血圧計用カフの回転が確実に防止できるようになる。
【００２０】
上記本発明に基づく血圧計用カフにあっては、血圧計用カフを上腕に装着した状態において、上記突出部がカフが装着された腕側の肩側に向かって突出していることが好ましく、その場合に、上記突出部が、カフを装着するに際してカフが装着される腕側の腋の下において上腕および体幹によって保持可能に構成されていることが好ましい。
【００２１】
このように構成することにより、カフが装着される腕側の腋の下において上腕および体幹によって突出部が保持可能になるため、装着の際の血圧計用カフの回転が確実に防止できるようになる。
【００２２】
上記本発明に基づく血圧計用カフにあっては、血圧計用カフを上腕に装着した状態において、上記突出部がカフが装着された腕の肘側に向かって突出していることが好ましく、その場合に、上記突出部が、カフを装着するに際してカフが装着される腕の肘の外側を覆うように構成されていることが好ましい。
【００２３】
このように構成することにより、カフが装着される腕の肘を机等の台につくことにより、突出部を台に対して押し付け保持することが可能になるため、装着の際の血圧計用カフの回転が確実に防止できるようになる。
【００２４】
上記本発明に基づく血圧計用カフにあっては、上腕に装着する際の位置決め用の目印をさらに備えていることが好ましい。
【００２５】
このように構成することにより、カフの仮保持の際に目印を用いてカフを上腕に対して容易に位置決めすることが可能になる。また、位置決め後におけるカフの巻き付け固定の際にカフが上腕上において回転することもないため、正しい装着位置が維持されることになる。したがって、装着の際の位置決めの容易化が図られるとともに高精度の血圧値測定が可能になる。
【発明の効果】
【００２６】
本発明によれば、上腕に対する装着作業が容易化した血圧計用カフとすることができる。また、外装部材に内包された空気袋が上腕に対して確実に位置決めされ得る血圧計用カフとすることもできる。
【発明を実施するための最良の形態】
【００２７】
以下、本発明の実施の形態について、図を参照して詳細に説明する。なお、以下に示す実施の形態においては、左腕の上腕が被測定部位として採用されることが企図されたオシロメトリック式の上腕式血圧計に具備された血圧計用カフに本発明を適用した場合を例示して説明を行なう。
【００２８】
（実施の形態１）
図１は、本発明の実施の形態１における血圧計の外観を示す斜視図である。まず、この図を参照して、本実施の形態における血圧計の外観構造について説明する。
【００２９】
図１に示すように、本実施の形態における血圧計１００は、装置本体１１０とカフ１５０Ａとを主に備えている。装置本体１１０は、表示部１１４および操作部１１５を有している。表示部１１４は、血圧値の測定結果や脈拍数の測定結果等を数値やグラフなどを用いて視認可能に表示する。この表示部１１４としては、たとえば液晶パネル等が利用される。操作部１１５には、たとえば電源ボタンや測定開始ボタン等が配設されている。
【００３０】
カフ１５０Ａは、被験者の左腕の上腕に巻き付けられることが企図されたものであり、帯状の外形を有している。カフ１５０Ａは、上腕を圧迫するための流体袋としての空気袋１５１（図２、図４、図５および図８等参照）と、この空気袋１５１を上腕に巻き付けて固定するための外装部材としての袋状カバー体１６０とを有している。空気袋１５１は、袋状カバー体１６０の内部に設けられた空間に収容されている。なお、カフ１５０Ａの詳細な構造については後述する。
【００３１】
カフ１５０Ａと装置本体１１０とは、接続管としてのエア管１４０によって接続されている。エア管１４０は可撓性のチューブからなり、一端が後述する装置本体１１０に設けられた血圧測定用エア系コンポーネント１３１（図２参照）に接続され、他端が前述したカフ１５０Ａの空気袋１５１に接続されている。
【００３２】
図２は、本実施の形態における血圧計の構成を示す機能ブロック図である。次に、この図を参照して、本実施の形態における血圧計の主要な機能ブロックの構成について説明する。
【００３３】
図２に示すように、血圧計１００の装置本体１１０の内部には、カフ１５０Ａに内包された空気袋１５１にエア管１４０を介して空気を供給または排出するための血圧測定用エア系コンポーネント１３１が設けられている。血圧測定用エア系コンポーネント１３１には、空気袋１５１内の圧力を検出する圧力検出手段である圧力センサ１３２と、空気袋１５１を膨縮させるための膨縮手段１３３であるポンプ１３４および弁１３５が含まれる。また、装置本体１１０の内部には、血圧測定用エア系コンポーネント１３１に関連して発振回路１２５、ポンプ駆動回路１２６および弁駆動回路１２７が設けられる。
【００３４】
さらに、装置本体１１０には、各部を集中的に制御および監視するためのＣＰＵ（Central Processing Unit）１２２と、ＣＰＵ１２２に所定の動作をさせるプログラムや測定された血圧値などの各種情報を記憶するためのメモリ部１２３と、血圧測定結果を含む各種情報を表示するための表示部１１４と、測定のための各種指示を入力するために操作される操作部１１５と、ＣＰＵ１２２および各機能ブロックに電力を供給するための電源部１２４とが設置される。ＣＰＵ１２２は、血圧値を算出するための血圧値算出手段としても機能する。
【００３５】
圧力センサ１３２は、空気袋１５１内の圧力（以下、「カフ圧」という）を検出し、検出した圧力に応じた信号を発振回路１２５に出力する。ポンプ１３４は、空気袋１５１に空気を供給する。弁１３５は、空気袋１５１内の圧力を維持したり、空気袋１５１内の空気を排出したりする際に開閉する。発振回路１２５は、圧力センサ１３２の出力値に応じた発振周波数の信号をＣＰＵ１２２に出力する。ポンプ駆動回路１２６は、ポンプ１３４の駆動をＣＰＵ１２２から与えられる制御信号に基づいて制御する。弁駆動回路１２７は、弁１３５の開閉制御をＣＰＵ１２２から与えられる制御信号に基づいて行なう。
【００３６】
図３は、本実施の形態における血圧計の血圧測定処理の流れを示すフローチャートである。次に、この図を参照して、本実施の形態における血圧計における血圧測定処理の流れについて説明する。このフローチャートに従うプログラムは、図２において示したメモリ部１２３に予め記憶されており、ＣＰＵ１２２がメモリ部１２３からこのプログラムを読出して実行することにより、血圧測定処理が実施される。
【００３７】
図３に示すように、被験者が血圧計１００の操作部１１５の操作ボタンを操作して電源をオンにすると血圧計１００の初期化がなされる（ステップＳ１）。次に、測定可能状態になると、ＣＰＵ１２２はポンプ１３４の駆動を開始し、空気袋１５１のカフ圧を徐々に上昇させる（ステップＳ２）。カフ圧を徐々に加圧する過程において、カフ圧が血圧測定のために必要な所定のレベルにまで達すると、ＣＰＵ１２２はポンプ１３４を停止し、次いで閉じていた弁１３５を徐々に開いて空気袋１５１の空気を徐々に排気し、カフ圧を徐々に減圧させ（ステップＳ３）、このカフ圧の微速減圧過程においてカフ圧の検出が行なわれる。
【００３８】
次に、ＣＰＵ１２２は公知の手順で血圧値（最高血圧値、最低血圧値）を算出する（ステップＳ４）。具体的には、カフ圧が徐々に減圧する過程において、ＣＰＵ１２２は発振回路１２５から得られる発振周波数に基づき脈波情報を抽出する。そして、抽出された脈波情報により血圧値を算出する。ステップＳ４において血圧値が算出されると、算出された血圧値を表示部１１４に表示する（ステップＳ５）。なお、以上において説明した測定方式は、空気袋の減圧時に脈波を検出して血圧値を算出するいわゆる減圧測定方式に基づいたものであるが、空気袋の加圧時に脈波を検出して血圧値を算出するいわゆる加圧測定方式を採用することも当然に可能である。
【００３９】
図４は、本実施の形態における血圧計用カフを展開させた状態を示す図であり、図５は、図４中に示すＶ−Ｖ線に沿った血圧計用カフの断面図である。以下においては、これらの図を参照して、本実施の形態における血圧計用カフの構造について詳細に説明する。
【００４０】
図４および図５に示すように、本実施の形態における血圧計用カフ１５０Ａは、エア管１４０に接続された空気袋１５１と、この空気袋１５１を内包する外装部材としての袋状カバー体１６０とを有している。図４に示すように、カフ１５０Ａを展開した状態においては、空気袋１５１は略矩形状の外形を有しており、袋状カバー体１６０は空気袋１５１を内包する略矩形状の帯状の外形を有している。
【００４１】
カフ１５０Ａは、上腕に巻き付けられた状態において上腕を取り巻いて覆うこととなる巻き付け部１６１と、この巻き付け部１６１から突出して設けられた突出部としての突出舌片１６５とを備えている。巻き付け部１６１は、カフ１５０Ａのうちの空気袋１５１が収容される帯状の部分であり、カフ１５０Ａを装着した状態において上腕への巻き付けに寄与する部分である。突出舌片１６５は、カフ１５０Ａが上腕に巻き付けられた状態において、上腕の延びる方向（すなわち、カフの幅方向）のうち、カフ１５０Ａが左腕に装着された状態において、左腕の肘側に向かって巻き付け部１６１から突出するように設けられている。突出舌片１６５は、カフ１５０Ａを上腕に装着する際に、当該カフ１５０Ａが装着される左腕の肘の内側において前腕および上腕によって仮保持されるための部位である。
【００４２】
図５に示すように、空気袋１５１は、好適には樹脂シートを用いて形成された袋状の部材からなる。空気袋１５１は、カフ１５０Ａを上腕に巻き付けた状態において上腕である生体側に位置することとなるシート部材１５２と、カフ１５０Ａを上腕に巻き付けた状態においてシート部材１５２の外側に位置することとなるシート部材１５３とを重ね合わせ、その周縁を溶着することにより袋状に形成されており、内部に膨縮空間１５４を有している。膨縮空間１５４は、上述のエア管１４０に接続されている。
【００４３】
空気袋１５１を構成する樹脂シートの材質としては、伸縮性に富んでおり溶着後において膨縮空間１５４からの漏気がないものであればどのようなものでも利用可能である。このような観点から、樹脂シートの好適な材質としては、エチレン−酢酸ビニール共重合体（ＥＶＡ）、軟質塩化ビニル（ＰＶＣ）、ポリウレタン（ＰＵ）、ポリアミド（ＰＡ）、生ゴム等が挙げられる。
【００４４】
図５に示すように、袋状カバー体１６０は、上腕への装着状態において上腕である生体側に位置することとなる内側カバー部材１６２と、上腕への装着状態において空気袋１５１を挟んで上腕側とは反対側に位置することとなる外側カバー部材１６３とによって構成されており、これら内側カバー部材１６２と外側カバー部材１６３とを重ね合わせてその周縁を結合することによって袋状に形成されている。
【００４５】
袋状カバー体１６０は、好適にはポリアミド（ＰＡ）、ポリエステル等の合成繊維からなる布地によって形成され、内側カバー部材１６２と外側カバー部材１６３との結合には、溶着や縫合等が利用される。なお、袋状カバー体１６０の内側カバー部材１６２は、好適には伸縮性に優れた部材にて構成され、袋状カバー体１６０の外側カバー部材１６３は、好適には内側カバー部材１６２よりも伸縮性に乏しい部材にて構成される。
【００４６】
図４に示すように、袋状カバー体１６０の長手方向の一方の端部には、リング１６８が取り付けられている。リング１６８は、血圧計用カフ１５０Ａの上腕への巻き付け固定の際に補助具として機能するものであり、袋状カバー体１６０の他方の端部がこのリング１６８に挿入されて折り返されることにより、血圧計用カフ１５０Ａの上腕への巻き付けが行なわれる。
【００４７】
また、袋状カバー体１６０のリング１６８が取り付けられた端部とは反対側に位置する端部近傍の外周面には、面ファスナ１６４が設けられている。面ファスナ１６４は、カフ１５０Ａを上腕に装着した状態において、袋状カバー体１６０の外周面の所定の位置に係止される。すなわち、面ファスナ１６４は、カフ１５０Ａを上腕に巻き付け固定するための係止手段に相当する。
【００４８】
さらに、袋状カバー体１６０の長手方向の所定位置には、袋状カバー体１６０の幅方向と対応する方向に延びる目印１６７が設けられている。この目印１６７は、カフ１５０Ａを上腕に装着する際の位置決めに利用されるものであり、袋状カバー体１６０に内包される空気袋１５１の長手方向の中央部分を幅方向に横切る中心線１５８に対して所定方向に所定のオフセット量Ｙだけ離して離間配置されている。
【００４９】
図４に示すように、袋状カバー体１６０の周縁には、内側カバー部材１６２と外側カバー部材１６３とを結合することによって形成された結合部１６６ａが全周囲にわたって位置している。ここで、結合部１６６ａは、その一部が突出舌片１６５の外縁に沿って設けられている。また、袋状カバー体１６０の巻き付け部１６１と突出舌片１６５との境界部には、内側カバー部材１６２と外側カバー部材１６３とを結合することによって形成された結合部１６６ｃが位置している。さらに、袋状カバー体１６０の巻き付け部１６１の長手方向の所定位置には、袋状カバー体１６０の幅方向（すなわち、長手方向と直交する方向）に延びる結合部１６６ｂが設けられている。
【００５０】
図４および図５に示すように、上述の結合部１６６ａ〜１６６ｃを設けることによって形成された袋状カバー体１６０の内部の３つの空間のうち、突出舌片１６５に対応する部分に形成された空間には、弾性板１７１が収容されている。また、巻き付け部１６１に対応する部分に形成された残る２つの空間のうち、リング１６８が位置する側の空間には、空気袋１５１が収容されている。
【００５１】
突出舌片１６５に対応する部分に形成された空間に収容される弾性板１７１の材質としては、適度な可撓性を有するように好適にはポリプロピレン（ＰＰ）等が利用される。弾性板１７１の形状としては、カフ１５０Ａを上腕に装着するに際して肘側に位置する上腕の付け根にフィットするように、その主面が所定方向に湾曲した形状とされることが好ましい。
【００５２】
図６は、本実施の形態における血圧計用カフを左腕の上腕に対して位置決めする際の概念図であり、図７および図８は、位置決め後に血圧計用カフを左腕の上腕に巻き付け固定する際の巻き付け動作を説明するための図である。なお、図８は、上腕の延伸方向において破断面を末梢側から中枢側に向けて見た場合の図である。以下においては、これらの図を参照して、本実施の形態における血圧計用カフを上腕に装着する作業について詳細に説明する。
【００５３】
図６に示すように、上記構成の血圧計用カフ１５０Ａを左腕２００の上腕２１０に装着するに際しては、肘を曲げることなく左腕２００を伸ばし、左手２３０の中指２３１の延長線Ｘ上に目印１６７が位置するように、袋状カバー体１６０に設けられた目印１６７を視認しつつカフ１５０Ａの上腕２１０に対する装着位置を調整する。そして、図７に示すように、上記目印１６７が中指２３１の延長線Ｘ上に位置した状態を保ちつつ、左腕２００の肘２１５を折り曲げて前腕２２０と上腕２１０とによってカフ１５０Ａの突出舌片１６５を挟み込んで仮保持する。
【００５４】
つづいて、肘２１５の内側によって突出舌片１６５を仮保持した状態を維持しつつ、図８に示すように、リング１６８に通されて折り返された袋状カバー体１６０の端部を図中矢印Ａ方向に向けて引っ張り、袋状カバー体１６０が上腕２１０に巻き付けられた状態を維持して、面ファスナ１６４を上腕２１０に巻き付けられた袋状カバー体１６０の外周面に係止させる。以上により、上腕２１０に対するカフ１５０Ａの巻き付け固定が完了する。巻き付け固定後においては、折り曲げていた肘２１５を伸ばして突出舌片１６５の仮保持を解除してよい。
【００５５】
上述のように、本実施の形態における血圧計用カフ１５０Ａにあっては、装着に際して巻き付け部１６１から突出するように設けられた突出舌片１６５が肘２１５の内側において肘２１５を折り曲げることにより仮保持可能である。したがって、カフ１５０Ａの巻き付けのためにカフ１５０Ａの一端を引っ張っても、上腕２１０上においてカフ１５０Ａが上腕２１０の周方向に回転することが防止されるようになる。すなわち、図８に示すように、カフ１５０Ａの一端を引っ張ることによって生じるカフ１５０Ａの巻き付け部１６１の図中矢印Ｂ方向への回転が上述の仮保持によって制限される。したがって、巻き付けのための力がカフ１５０Ａにうまく伝わることになり、カフ１５０Ａの巻き付け固定作業が容易化する。その結果、上腕２１０に対する装着作業が容易化した血圧計用カフとすることができる。
【００５６】
また、本実施の形態における血圧計用カフ１５０Ａにあっては、目印１６７を使って予め上腕２１０に対して位置決めしたカフ１５０Ａの位置合わせが巻き付け作業中においても維持されることになる。そのため、巻き付け後においてカフ１５０Ａは、上腕２１０に対して当初位置決めした状態のまま固定されることになる。ここで、空気袋１５１の中心線１５８に対する上記目印１６７のオフセット量Ｙを、経験的に得られる上腕２１０の中心軸から上腕大動脈２１２までの距離に基づいた所定の値としておくことにより、図８に示すように、上記装着状態において空気袋１５１の長手方向の中央部分が上腕大動脈２１２の直上に位置することになる。したがって、厚み方向において最も膨張する部分である空気袋１５１の長手方向の中央部分と上腕大動脈２１２とが近接して配置されることになり、上腕大動脈２１２が空気袋１５１の中央部分と上腕骨２１１によって挟み込まれることになる。その結果、測定時において上腕大動脈２１２が効率よくかつ確実に空気袋１５１によって圧迫・阻血されることになり、高精度に血圧値を測定することが可能になる。
【００５７】
なお、本実施の形態にける血圧計用カフ１５０Ａにあっては、突出舌片１６５が肘２１５の内側によって仮保持し易い形状に形成されていることが好ましい。そのため、突出舌片１６５の外形寸法は、好適には図４に示す長手方向の大きさＬ１が１０ｃｍ±５ｃｍの範囲となるように、かつ図４に示す幅方向における大きさＤ１が３ｃｍ±１．５ｃｍの範囲となるように調整される。なお、血圧計用カフ１５０Ａの巻き付け部１６１の外形寸法は、好適にはその長手方向における全長が４６ｃｍ±２０ｃｍの範囲に形成され、その幅方向における全幅（突出舌片１６５が形成された部分を除く）が１４ｃｍ±５ｃｍの範囲に形成される。上記寸法の範囲内であれば、男性、女性、成人、高齢者等の別を問わず、カフ１５０Ａの装着の際の突出舌片１６５の肘２１５の内側による仮保持が可能になる。
【００５８】
（実施の形態２）
図９は、本発明の実施の形態２における血圧計用カフの外観を示す斜視図であり、図１０は、幅方向の断面図である。また、図１１および図１２は、本実施の形態における血圧計用カフを左腕の上腕に巻き付け固定する際の巻き付け動作を示す図である。なお、図１２は、上腕の延伸方向において破断面を末梢側から中枢側に向けて見た場合の図である。図９ないし図１２においては、上述の実施の形態１における血圧計用カフと同様の部分について同一の符号を付し、その説明はここでは繰り返さない。
【００５９】
図９に示すように、本実施の形態における血圧計用カフ１５０Ｂは、上述の実施の形態１における血圧計用カフ１５０Ａと同様に、上腕に巻き付けられた状態において上腕を取り巻いて覆うこととなる巻き付け部１６１と、この巻き付け部１６１から突出して設けられた突出舌片１６５とを備えている。突出舌片１６５は、カフ１５０Ｂが上腕に巻き付けられた状態において、上腕の延びる方向（すなわち、カフの幅方向）のうち、カフ１５０Ｂが左腕に装着された状態において、左腕の肘側に向かって巻き付け部１６１から突出するように設けられている。突出舌片１６５は、カフ１５０Ｂを上腕に装着する際に、当該カフ１５０Ｂが装着される左腕の肘の内側において前腕および上腕によって仮保持されるための部位である。
【００６０】
図９および図１０に示すように、本実施の形態における血圧計用カフ１５０Ｂは、空気袋１５１および袋状カバー体１６０に加え、湾曲弾性板としてのカーラ１７２を備えている。カーラ１７２は、袋状カバー体１６０に内包されるとともに空気袋１５１の外側に配置されている。
【００６１】
カーラ１７２は、上腕にフィットするように円筒形状に形成されており、環状に巻き回されることによって径方向に弾性変形可能に構成された可撓性の部材からなる。カーラ１７２は、空気袋１５１の外周面に図示しない両面テープ等の接着手段によって接着・固定されており、自身の環状形態を維持することによって上腕に沿うように構成されている。このカーラ１７２は、被験者自身によってカフ１５０Ｂを上腕に装着し易くするためのものであるとともに、カフ１５０Ｂの上腕への装着状態において空気袋１５１を上腕側に向けて付勢する。このカーラ１７２は、十分な弾性力を発現するように、たとえばポリプロピレン（ＰＰ）等の樹脂部材にて形成される。
【００６２】
カーラ１７２は、カフ１５０Ｂの巻き付け部１６１に対応する部分からその幅方向に向かって突出する立設部１７３を有している。この立設部１７３は、カーラ１７２に一体的に設けられており、上述の突出舌片１６５の内部の空間に収容されて突出舌片１６５の一部を構成している。なお、立設部１７３の形状としては、カフ１５０Ｂを上腕に装着するに際して肘側に位置する上腕の付け根にフィットするように、その主面が所定方向に湾曲した形状とされることが好ましい。
【００６３】
また、本実施の形態における血圧計用カフ１５０Ｂにあっては、上述の実施の形態１における血圧計用カフ１５０Ａと異なり、巻き付け作業の際の補助具となるリング１６８が設けられていない。そのため、カフ１５０Ｂの長手方向の一方端は折り返されることなく上腕に巻き付けられる。したがって、面ファスナ１６４は、巻き付け後において内側に位置することとなるカフ１５０Ｂの一方端近傍の外周面に設けられている。
【００６４】
上記構成の血圧計用カフ１５０Ｂを左腕の上腕に装着するに際しては、上述の実施の形態１における血圧計用カフ１５０Ａの場合と同様に、肘を曲げることなく左腕を伸ばし、左手の中指の延長線上にカフ１５０Ｂの袋状カバー体１６０の外周面に設けられた目印１６７が位置するように、カフ１５０Ｂの上腕に対する装着位置を調整する。ここで、本実施の形態における血圧計用カフ１５０Ｂにあっては、袋状カバー体１６０の内部にカーラ１７２が収容されているため、カーラ１７２の有する環状形態によって上腕へのカフ１５０Ｂの取り付けが容易となっている。そして、図１１に示すように、上記目印１６７が左手２３０の中指の延長線上に位置した状態を保ちつつ、左腕２００の肘２１５を折り曲げて前腕２２０と上腕２１０とによってカフ１５０Ｂの突出舌片１６５を挟み込んで仮保持する。
【００６５】
つづいて、肘２１５の内側によって突出舌片１６５を仮保持した状態を維持しつつ、図１２に示すように、袋状カバー体１６０の一方の端部を図中矢印Ｃ方向に向けて引っ張り、袋状カバー体１６０が上腕２１０に締め付けられた状態として面ファスナ１６４を上腕２１０に巻き付けられた袋状カバー体１６０の内周面に係止させる。以上により、上腕２１０に対するカフ１５０Ｂの巻き付け固定が完了する。巻き付け固定後においては、折り曲げていた肘２１５を伸ばして突出舌片１６５の仮保持を解除してよい。
【００６６】
本実施の形態の如くの血圧計用カフ１５０Ｂとした場合にも、上述の実施の形態１における血圧計用カフ１５０Ａとした場合と同様の効果を得ることができる。すなわち、装着に際して巻き付け部１６１から突出するように設けられた突出舌片１６５を肘の内側において肘を折り曲げることによって仮保持することにより、上腕２１０上においてカフ１５０Ｂが図１２中の矢印Ｄ方向に回転することが防止され、カフ１５０Ｂの巻き付け固定作業が容易化する。その結果、上腕２１０に対する装着作業が容易化した血圧計用カフとすることができる。また、予め上腕２１０に対して位置決めしたカフ１５０Ｂの位置合わせが巻き付け作業後においても維持されることになるため、測定時において上腕大動脈２１２が効率よくかつ確実に空気袋１５１によって圧迫・阻血されることになり、高精度に血圧値を測定することが可能になる。
【００６７】
さらには、本実施の形態における血圧計用カフ１５０Ｂにおいては、突出舌片１６５の一部をカーラ１７２の立設部１７３によって構成しているため、突出舌片１６５を容易に弾性変形可能に構成することができる。したがって、別途弾性板を必要とせず、部品点数を削減することができる。
【００６８】
（実施の形態３）
図１３は、本発明の実施の形態３における血圧計用カフを展開させた状態を示す図である。また、図１４は、本実施の形態における血圧計用カフを左腕の上腕に巻き付け固定する際の巻き付け動作を説明するための図である。なお、本実施の形態における血圧計用カフは、上述の実施の形態１における血圧計用カフと近似の構成を有しているため、上述の実施の形態１における血圧計用カフと同様の部分について図中同一の符号を付し、その説明はここでは繰り返さない。
【００６９】
図１３に示すように、本実施の形態における血圧計用カフ１５０Ｃは、上腕に巻き付けられた状態において上腕を取り巻いて覆うこととなる巻き付け部１６１と、この巻き付け部１６１から突出して設けられた突出舌片１６５とを備えている。突出舌片１６５は、カフ１５０Ｃが上腕に巻き付けられた状態において、上腕の延びる方向（すなわち、カフの幅方向）のうち、カフ１５０Ｃが左腕に装着された状態において、左腕側の肩側に向かって巻き付け部１６１から突出するように設けられている。突出舌片１６５は、カフ１５０Ｃを上腕に装着する際に、当該カフ１５０Ｃが装着される左腕側の腋の下において上腕２１０および体幹２４０によって仮保持されるための部位である。
【００７０】
図１３に示すように、本実施の形態における血圧計用カフ１５０Ｃにおいても、上述の実施の形態１における血圧計用カフ１５０Ａと同様に、袋状カバー体１６０に結合部１６６ａ〜１６６ｃが設けられている。これら結合部１６６ａ〜１６６ｃを設けることによって形成された袋状カバー体１６０の内部の３つの空間のうち、突出舌片１６５に対応する部分に形成された空間には、弾性板１７１が収容されている。また、巻き付け部１６１に対応する部分に形成された残る２つの空間のうち、リング１６８が位置する側の空間には、空気袋１５１が収容されている。突出舌片１６５に対応する部分に形成された空間に収容される弾性板１７１としては、適度な可撓性を有するように好適にはポリプロピレン（ＰＰ）等の材質からなるものが選択され、その形状は、カフ１５０Ｃを上腕に装着するに際して肩側に位置する上腕の付け根にフィットするように、その主面が所定方向に湾曲した形状とされることが好ましい。
【００７１】
上記構成の血圧計用カフ１５０Ｃを左腕の上腕に装着するに際しては、上述の実施の形態１における血圧計用カフ１５０Ａの場合と同様に、肘を曲げることなく左腕を伸ばし、左手の中指の延長線上にカフ１５０Ｃの袋状カバー体１６０の外周面に設けられた目印１６７が位置するように、カフ１５０Ｃの上腕に対する装着位置を調整する。そして、図１３に示すように、上記目印１６７が中指２３１の延長線上に位置した状態を保ちつつ、左腕２００側の腋の下において上腕２１０と体幹２４０とによってカフ１５０Ｃの突出舌片１６５を挟み込んで仮保持する。
【００７２】
つづいて、腋の下によって突出舌片１６５を仮保持した状態を維持しつつ、袋状カバー体１６０の一方の端部近傍に設けられた面ファスナ１６４を上腕２１０に巻き付けられた袋状カバー体１６０の外周面に係止させる。以上により、上腕２１０に対するカフ１５０Ｃの巻き付け固定が完了する。巻き付け固定後においては、腋の下による突出舌片１６５の仮保持を解除してよい。
【００７３】
本実施の形態の如くの血圧計用カフ１５０Ｃとした場合にも、上述の実施の形態１における血圧計用カフ１５０Ａとした場合と同様の効果を得ることができる。すなわち、装着に際して腋の下を閉じることにより、巻き付け部１６１から突出するように設けられた突出舌片１６５を腋の下において上腕２１０と体幹２４０とで仮保持することができ、その結果、上腕２１０上においてカフ１５０Ｃが上腕２１０の周方向に回転することが防止され、カフ１５０Ｃの巻き付け固定作業が容易化する。その結果、上腕２１０に対する装着作業が容易化した血圧計用カフとすることができる。また、予め上腕２１０に対して位置決めしたカフ１５０Ｃの位置合わせが巻き付け作業後においても維持されることになるため、測定時において上腕大動脈２１２が効率よくかつ確実に空気袋１５１によって圧迫・阻血されることになり、高精度に血圧値を測定することが可能になる。
【００７４】
なお、本実施の形態にける血圧計用カフ１５０Ｃにあっては、突出舌片１６５が腋の下によって仮保持し易い形状に形成されていることが好ましい。そのため、突出舌片１６５の外形寸法は、好適には図１３に示す長手方向の大きさＬ２が２０ｃｍ±１０ｃｍの範囲となるように、かつ図１３に示す幅方向における大きさＤ２が３ｃｍ±１．５ｃｍの範囲となるように調整される。
【００７５】
（実施の形態４）
図１５は、本発明の実施の形態４における血圧計用カフの外観を示す斜視図である。また、図１６は、本実施の形態における血圧計用カフを左腕の上腕に巻き付け固定する際の図である。なお、本実施の形態における血圧計用カフは、上述の実施の形態１における血圧計用カフと近似の構成を有しているため、上述の実施の形態１における血圧計用カフと同様の部分について図中同一の符号を付し、その説明はここでは繰り返さない。
【００７６】
図１５に示すように、本実施の形態における血圧計用カフ１５０Ｄは、上腕に巻き付けられた状態において上腕を取り巻いて覆うこととなる巻き付け部１６１と、この巻き付け部１６１から突出して設けられた突出舌片１６５とを備えている。突出舌片１６５は、カフ１５０Ｄが上腕に巻き付けられた状態において、上腕の延びる方向（すなわち、カフの幅方向）のうち、カフ１５０Ｄが左腕に装着された状態において、左腕の肘側に向かって巻き付け部１６１から突出するように設けられている。ここで、本実施の形態における血圧計用カフ１５０Ｄにあっては、突出舌片１６５が、カフ１５０Ｄを装着するに際してカフ１５０Ｄが装着される左腕の肘の外側を覆うように構成されている。
【００７７】
突出舌片１６５は、血圧計用カフ１５０Ｄを上腕に装着する際に、当該カフ１５０Ｄが装着される左腕の肘によって机等の台に向けて押し付けられる部位であり、突出舌片１６５に対応する部分の袋状カバー体１６０の内部の空間には、好適には弾性板が収容される。突出舌片１６５に対応する部分の袋状カバー体１６０の内部の空間に収容される弾性板としては、適度な可撓性を有するように好適にはポリプロピレン（ＰＰ）等の材質からなるものが選択される。
【００７８】
上記構成の血圧計用カフ１５０Ｄを左腕の上腕に装着するに際しては、上述の実施の形態１における血圧計用カフ１５０Ａの場合と同様に、肘を曲げることなく左腕を伸ばし、左手の中指の延長線上にカフ１５０Ｄの袋状カバー体１６０の外周面に設けられた目印１６７が位置するように、カフ１５０Ｄの上腕に対する装着位置を調整する。そして、図１６に示すように、上記目印１６７が中指の延長線上に位置した状態を保ちつつ、左腕２００の肘２１５をカフ１５０Ｄの突出舌片１６５を介して机等の台３００に対して押し付け、肘２１５と机等の台３００とによってカフ１５０Ｄの突出舌片１６５を挟み込んで仮保持する。
【００７９】
つづいて、肘２１５によって突出舌片１６５を机等の台３００に押し付けた状態を維持しつつ、袋状カバー体１６０の一方の端部近傍に設けられた面ファスナ１６４を上腕２１０に巻き付けられた袋状カバー体１６０の外周面に係止させる。以上により、上腕２１０に対するカフ１５０Ｄの巻き付け固定が完了する。巻き付け固定後においては、肘２１５による突出舌片１６５の机等の台３００に対する押し付けを解除してもよい。
【００８０】
本実施の形態の如くの血圧計用カフ１５０Ｄとした場合にも、上述の実施の形態１における血圧計用カフ１５０Ａとした場合と同様の効果を得ることができる。すなわち、装着に際して巻き付け部１６１から突出するように設けられた突出舌片１６５を肘２１５で机等の台３００に対して押し付けることにより、上腕２１０上においてカフ１５０Ｄが上腕２１０の周方向に回転することが防止され、カフ１５０Ｄの巻き付け固定作業が容易化する。その結果、上腕２１０に対する装着作業が容易化した血圧計用カフとすることができる。また、予め上腕２１０に対して位置決めしたカフ１５０Ｄの位置合わせが巻き付け作業後においても維持されることになるため、測定時において上腕大動脈２１２が効率よくかつ確実に空気袋１５１によって圧迫・阻血されることになり、高精度に血圧値を測定することが可能になる。
【００８１】
なお、本実施の形態にける血圧計用カフ１５０Ｄにあっては、突出舌片１６５が肘２１５によって机等の台３００に押し付け易い形状に形成されていることが好ましい。そのため、突出舌片１６５の外形寸法は、好適には図１５に示す長手方向の大きさＬ３が１０ｃｍ±５ｃｍの範囲となるように、かつ図１５に示す幅方向における大きさＤ３が１５ｃｍ±５ｃｍの範囲となるように調整される。また、袋状カバー体１６０における突出舌片１６５の形成位置は、突出舌片１６５の中心位置が袋状カバー体１６０の面ファスナ１６４が設けられた側の端部から３０ｃｍ±１０ｃｍの範囲に含まれるように調整されることが好ましい。
【００８２】
また、本実施の形態における血圧計用カフ１５０Ｄにおいては、巻き付け部１６１に対して突出舌片１６５が回動可能もしくは折り曲げ可能に構成されていることが好ましい。突出舌片１６５を巻き付け部１６１に対して回動可能に構成するためには、好適にはヒンジが適用される。また、突出舌片１６５を巻き付け部１６１に対して折り曲げ可能に構成するためには、突出舌片１６５と巻き付け部１６１との境界部を他の部位に比して柔軟に構成したり薄く構成したりすることが考えられる。
【００８３】
（実施の形態５）
図１７は、本発明の実施の形態５における血圧計用カフの外観を示す斜視図である。また、図１８および図１９は、本実施の形態における血圧計用カフを左腕の上腕に巻き付け固定する際の巻き付け動作を説明するための図である。なお、図１９は、上腕の延伸方向において破断面を末梢側から中枢側に向けて見た場合の図である。本実施の形態における血圧計用カフは、上述の実施の形態２における血圧計用カフと近似の構成を有しているため、上述の実施の形態２における血圧計用カフと同様の部分について図中同一の符号を付し、その説明はここでは繰り返さない。
【００８４】
図１７に示すように、本実施の形態における血圧計用カフ１５０Ｅは、上述の実施の形態２における血圧計用カフ１５０Ｂと近似の構成を有しており、突出舌片１６５に代えて一対のアーム部１７４およびグリップ部１７５からなる保持具を有している。一対のアーム部１７４のそれぞれは、袋状カバー体１６０の内部に収容されたカーラ１７２に固定され、それぞれ袋状カバー体１６０の巻き付け部１６１から上腕の延びる方向に向けて突出して設けられている。グリップ部１７５は、一対のアーム部１７４の先端に固定されている。アーム部１７４は、可撓性を実質的に有しない剛体にて構成されることが好ましく、金属製のものや硬質プラスチック製のもの等が好適である。
【００８５】
上記構成の血圧計用カフ１５０Ｅを左腕の上腕に装着するに際しては、図１８に示すように、カフ１５０Ｅの巻き付け部１６１内に上腕２１０を挿入し、左手２３０によってグリップ部１７５を把持する。つづいて、図１９に示すように、左手２３０によってグリップ部１７５を把持した状態を維持しつつ、袋状カバー体１６０の一方の端部を図中矢印Ｃ方向に向けて引っ張り、袋状カバー体１６０の一方の端部近傍に設けられた面ファスナ１６４を上腕２１０に巻き付けられた袋状カバー体１６０の内周面に係止させる。以上により、上腕２１０に対するカフ１５０Ｅの巻き付け固定が完了する。巻き付け固定後においては、左手２３０によるグリップ部１７５の把持を解除してもよい。
【００８６】
本実施の形態の如くの血圧計用カフ１５０Ｅとした場合にも、上述の実施の形態２における血圧計用カフ１５０Ｂとした場合と同様の効果を得ることができる。すなわち、装着に際して巻き付け部１６１から突出するように設けられた保持具のグリップ部１７５を把持することにより、上腕２１０上においてカフ１５０Ｅが図１９中の矢印Ｄ方向に回転することが防止され、カフ１５０Ｅの巻き付け固定作業が容易化する。その結果、上腕２１０に対する装着作業が容易化した血圧計用カフとすることができる。また、目印を特に設けずとも保持具と空気袋１５１との相対的な位置決めを予め行なっておくことにより、図１８に示す把持状態において必ず空気袋１５１の長手方向の中央部分と上腕大動脈２１２との位置あわせが実施されるようになる。したがって、測定時において上腕大動脈２１２が効率よくかつ確実に空気袋１５１によって圧迫・阻血されることになり、高精度に血圧値を測定することが可能になる。なお、被験者により上腕２１０から左手２３０までの距離は異なるため、アーム部１７４の長さを可変調節可能に構成すればさらに使い勝手のよい血圧計用カフとすることができる。
【００８７】
上述の実施の形態１ないし４においては、位置決め用の目印が設けられた血圧計用カフを例示して説明を行なったが、位置決め用の目印が特に設けられない血圧計用カフに本発明を適用することも当然に可能であり、その場合にもカフに仮保持用の突出部を設けることにより、装着の際の巻き付け作業がより容易に行なえるようになる。
【００８８】
また、上述の実施の形態１ないし５においては、仮保持用の突出部が舌片形状であるものを例示して説明を行なったが、突出部の形状はこれに限定されるものではなく、適宜変更が可能である。
【００８９】
また、上述の実施の形態１ないし５においては、左腕の上腕に装着されることが企図された血圧計用カフを例示して説明を行なったが、右手の上腕に装着されることが企図された血圧計用カフに本発明を適用することも可能である。
【００９０】
さらに、上述の実施の形態１ないし５においては、オシロメトリック式の血圧計のカフに本発明を適用した場合を例示して説明を行なったが、当然にコロトコフ式の血圧計のカフに本発明を適用することも可能である。
【００９１】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００９２】
【図１】本発明の実施の形態１における血圧計の外観を示す斜視図である。
【図２】本発明の実施の形態１における血圧計の構成を示す機能ブロック図である。
【図３】本発明の実施の形態１における血圧計の血圧測定処理の流れを示すフローチャートである。
【図４】本発明の実施の形態１における血圧計用カフを展開させた状態を示す図である。
【図５】本発明の実施の形態１における血圧計用カフの図４中に示すＶ−Ｖ線に沿った断面図である。
【図６】本発明の実施の形態１における血圧計用カフを左腕の上腕に対して位置決めする際の概念図である。
【図７】本発明の実施の形態１における血圧計用カフにおいて、位置決め後に血圧計用カフを左腕の上腕に巻き付け固定する際の巻き付け動作を説明するための斜視図である。
【図８】本発明の実施の形態１における血圧計用カフにおいて、位置決め後に血圧計用カフを左腕の上腕に巻き付け固定する際の巻き付け動作を説明するための断面図である。
【図９】本発明の実施の形態２における血圧計用カフの外観を示す斜視図である。
【図１０】本発明の実施の形態２における血圧計用カフの幅方向の断面図である。
【図１１】本発明の実施の形態２における血圧計用カフにおいて、位置決め後に血圧計用カフを左腕の上腕に巻き付け固定する際の巻き付け動作を説明するための斜視図である。
【図１２】本発明の実施の形態２における血圧計用カフにおいて、位置決め後に血圧計用カフを左腕の上腕に巻き付け固定する際の巻き付け動作を説明するための断面図である。
【図１３】本発明の実施の形態３における血圧計用カフを展開させた状態を示す図である。
【図１４】本発明の実施の形態３における血圧計用カフにおいて、位置決め後に血圧計用カフを左腕の上腕に巻き付け固定する際の巻き付け動作を説明するための斜視図である。
【図１５】本発明の実施の形態４における血圧計用カフの外観を示す斜視図である。
【図１６】本発明の実施の形態４における血圧計用カフにおいて、位置決め後に血圧計用カフを左腕の上腕に巻き付け固定する際の巻き付け動作を説明するための斜視図である。
【図１７】本発明の実施の形態５における血圧計用カフの外観を示す斜視図である。
【図１８】本発明の実施の形態５における血圧計用カフにおいて、位置決め後に血圧計用カフを左腕の上腕に巻き付け固定する際の巻き付け動作を説明するための斜視図である。
【図１９】本発明の実施の形態５における血圧計用カフにおいて、位置決め後に血圧計用カフを左腕の上腕に巻き付け固定する際の巻き付け動作を説明するための断面図である。
【符号の説明】
【００９３】
１００  血圧計、１１０  装置本体、１１４  表示部、１１５  操作部、１２２  ＣＰＵ、１２３  メモリ部、１２４  電源部、１２５  発振回路、１２６  ポンプ駆動回路、１２７  弁駆動回路、１３１  血圧測定用エア系コンポーネント、１３２  圧力センサ、１３３  膨縮手段、１３４  ポンプ、１３５  弁、１４０  エア管、１５０Ａ〜１５０Ｅ  血圧計用カフ、１５１  空気袋、１５２，１５３  シート部材、１５４  膨縮空間、１５８  中心線、１６０  袋状カバー体、１６１  巻き付け部、１６２  内側カバー部材、１６３  外側カバー部材、１６４  面ファスナ、１６５  突出舌片、１６６ａ〜１６６ｃ  結合部、１６７  目印、１６８  リング、１７１  弾性板、１７２  カーラ、１７３  立設部、１７４  アーム部、１７５  グリップ部、２００  左腕、２１０  上腕、２１１  上腕骨、２１２  上腕大動脈、２１５  肘、２２０  前腕、２３０  左手、２３１  中指、２４０  体幹、３００  台。
【図１】
2007275483.tif 000003
【図２】
2007275483.tif 000004
【図３】
2007275483.tif 000005
【図４】
2007275483.tif 000006
【図５】
2007275483.tif 000007
【図６】
2007275483.tif 000008
【図７】
2007275483.tif 000009
【図８】
2007275483.tif 000010
【図９】
2007275483.tif 000011
【図１０】
2007275483.tif 000012
【図１１】
2007275483.tif 000013
【図１２】
2007275483.tif 000014
【図１３】
2007275483.tif 000015
【図１４】
2007275483.tif 000016
【図１５】
2007275483.tif 000017
【図１６】
2007275483.tif 000018
【図１７】
2007275483.tif 000019
【図１８】
2007275483.tif 000020
【図１９】
2007275483.tif 000021